(57)【特許請求の範囲】
【請求項１】
便器本体から下水配管に通じる通路に介在する排水接続管であって、
前記排水接続管は、前記便器本体につながる排水管部材と、
前記排水管部材に連通する入口部から出口部に通じる屈曲接続管と、
を備え、
前記出口部は前記下水配管に設けられる環状部材の通孔に連通するように構成され、
前記出口部には、周方向に分離され、前記通孔内に突出する複数の突出部が設けられることを特徴とする排水接続管。
【請求項２】
前記複数の突出部は、前記出口部の後側領域に設けられる後側の突出部と、前記出口部の前側領域に設けられる前側の突出部と、を含むことを特徴とする請求項１に記載の排水接続管。
【請求項３】
前記複数の突出部の少なくともひとつの外側面にはテーパー面が形成されることを特徴とする請求項１または２に記載の排水接続管。
【請求項４】
前記複数の突出部の少なくともひとつの側面にはリブが形成されるとことを特徴とする請求項１から３のいずれかに記載の排水接続管。
【請求項５】
前記出口部には、その内側に張り出す張出部が形成され、
前記複数の突出部の少なくともひとつは前記張出部に立設されることを特徴とする請求項１から４のいずれかに記載の排水接続管。
【請求項６】
便器本体と、
前記便器本体から下水配管に通じる通路に介在する排水接続管と、
を備え、
前記排水接続管は、前記便器本体につながる排水管部材と、前記排水管部材に連通する入口部から出口部に通じる屈曲接続管と、を含み、
前記出口部は前記下水配管に設けられる環状部材の通孔に連通するように構成され、
前記出口部には、周方向に分離され、前記通孔内に突出する複数の突出部が設けられることを特徴とするトイレ装置。
【発明の詳細な説明】
【技術分野】
【０００１】
本発明は便器本体と下水排水管とを接続する排水接続管及びそれを備えたトイレ装置に関する。
【背景技術】
【０００２】
近年、リフォーム等により、トイレルームの床等の下水排水管に水洗式のトイレの便器本体をつなぐ施工の機会が増えている。このような施工では、便器本体とトイレルームの床の下水排水管とを接続するため、床面や壁面に設置された下水排水管と便器本体との間に排水ソケットを介在させることがある。
【０００３】
例えば、特許文献１には水洗大便器の便器本体の排水路の出口部と床下に設けられた床下排水管の入口部とを連結する排水ソケットが記載されている。この排水ソケットの床下側接続管部材は、排水路を支持するベース部材と、ベース部材を覆う外側ケーシング部材などの排水接続管と、を備えている。
【先行技術文献】
【特許文献】
【０００４】
【特許文献１】特開２０１１−１７９１８９号公報
【特許文献２】特開２００８−２６６９１６号公報
【発明の概要】
【発明が解決しようとする課題】
【０００５】
ところで、特許文献１の排水ソケットでは、ベース部材の開口に周方向に連続する円筒状の部材が挿入されるから、その部分で通路の内径が狭くなる。通路が狭くなるとその部分で汚物が滞留することが考えられる。
【０００６】
特許文献２には屈曲管路部材を用いず、下水排水管を支持する床フランジに、便器本体から延伸する配管に脚部付きの排水接続管を装着する構成が記載されている。この構成では、床フランジに排水接続管を載せると床フランジが目視できず、また、排水接続管に芯ずれを防止するための工夫も見当たらないから、これらが芯ずれした状態で固定される可能性があった。
【０００７】
排水接続管が床フランジに対して芯ずれすると、これらの接合空間に段差を生じ、排出されてきた汚物がその段差に乗り上げ、汚物を滞留させる懸念があった。このため、段差を生じないように施工作業が慎重になり、作業性が低下することがあった。
【０００８】
このような背景から、本発明者は、排水接続管の配管施工の作業性を向上し汚物の流れを円滑にする配管接続技術を提供することが課題であると認識した。なお、このような課題は、リフォームに限られず新設等の施工についても生じうる。
【０００９】
本発明は、このような課題に鑑みなされたもので、その目的の一つは、排水接続管の配管施工の作業性を向上し汚物の流れを円滑にする配管接続技術を提供することにある。
【課題を解決するための手段】
【００１０】
上記課題を解決するために、本発明のある態様の排水接続管は、便器本体から下水配管に通じる通路に介在する排水接続管であって、排水接続管は、便器本体につながる排水管部材と、排水管部材に連通する入口部から出口部に通じる屈曲接続管と、を備える。出口部は下水配管に設けられる環状部材の通孔に連通するように構成され、出口部には、周方向に分離され、通孔内に突出する複数の突出部が設けられる。
【００１１】
この態様によると、排水接続管は突出部をガイドにして環状部材に装着できる。
【００１２】
本発明の別の態様は、トイレ装置である。この装置は、便器本体と、便器本体から下水配管に通じる通路に介在する排水接続管と、を備える。排水接続管は、便器本体につながる排水管部材と、排水管部材に連通する入口部から出口部に通じる屈曲接続管と、を含み、出口部は下水配管に設けられる環状部材の通孔に連通するように構成され、出口部には、周方向に分離され、通孔内に突出する複数の突出部が設けられる。
【００１３】
この態様によると、排水接続管は突出部をガイドにして環状部材に装着できるから、トイレ装置の施工が容易になる。
【発明の効果】
【００１４】
本発明によれば、排水接続管の配管施工の作業性を向上し汚物の流れを円滑にする配管接続技術を提供することができる。
【図面の簡単な説明】
【００１５】
【図１】実施の形態に係る排水接続管を使用したトイレ装置を示す斜視図である。
【図２】図１の排水接続管の周辺を示す側面図である。
【図３】屈曲接続管と床フランジの平面図と側面の断面図である。
【図４】屈曲接続管の斜視図である。
【図５】排水接続管を床フランジに接続した例を示す断面図である。
【図６】排水接続管を別の床フランジに接続した例を示す断面図である。
【００１６】
以下、本発明を好適な実施の形態をもとに図１〜５を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１７】
図１は実施の形態に係る排水接続管２００を使用したトイレ装置１００を模式的に示す斜視図で、理解を容易にするため、便器本体７０の下部を透視して示している。図２は排水接続管２００とその周辺を示す側面図である。図２は、排水接続管２００の一部と、床８０ａに設けた孔内に嵌められた床フランジ２０の周辺と、を断面で示している。
【００１８】
トイレ装置１００は、便器本体７０、便器接続部６０、排水管部４０及び屈曲接続管１０を含む。特に、便器接続部６０、排水管部４０及び屈曲接続管１０は実施の形態に係る排水接続管２００を構成する。なお、便器接続部６０と排水管部４０とを合わせて排水管部材と表記することがある。便器本体７０は下部に汚物を排出する排出口を有する水洗大便器の本体である。便器本体は小便器本体など他の種類の便器本体であってもよい。便器本体７０は、床８０ａや壁８０ｂなどによって区画されたトイレルームに設けられる。便器接続部６０は、内通路がＬ字状に屈曲した管状部材で、上向きの一端が便器本体７０の排出口に接続され、前後方向で前向きの他端が排水管部４０に接続される。
【００１９】
排水管部４０は、前後方向に延伸する管状部材で、一端が便器接続部６０に接続され、他端が屈曲接続管１０の入口部１０ａに接続される。
【００２０】
屈曲接続管１０は、Ｌ字状に屈曲した管部内に内通路を有し、前後方向で後向きに開口する入口部１０ａと下向きに開口する出口部１０ｂとを有する。入口部１０ａには排水管部４０が連通され、出口部１０ｂには後述する床フランジ２０が連通される。
【００２１】
以下の説明では、水平方向において、排水管部４０に対して屈曲接続管１０が設けられる側を前後方向で前側と、屈曲接続管１０に対して床フランジ２０が設けられる側を上下方向で下側と、前後方向及び上下方向に直交する方向を左右方向と、特に上下方向において突出部１２ａ、１２ｂが突出する方向を突出方向と表記する。これらの表記は使用の姿勢を制限するものではない。
【００２２】
屈曲接続管１０の入口部１０ａの内側には排水管部４０が嵌め込まれて固定される。屈曲接続管１０の出口部１０ｂは環状の弾性部材であるガスケット５０を挟んで環状部材である床フランジ２０の上側に配置される。突出部１２ａ，１２ｂはガスケット５０を越えて突出し、床フランジ２０の通孔２０ｂに進入する。
【００２３】
床フランジ２０は図示しないビス等の締結部材によって床８０ａに固定される。屈曲接続管１０は図示しないボルトなどの締結手段を用いて床フランジ２０に固定される。円筒状の下水配管３０は、床８０ａの孔内に立設され、下水配管３０の上端部が床フランジ２０の円筒部２０ｃの外側に接着固定されることによって支持される。
【００２４】
便器本体７０から、便器接続部６０、排水管部４０、屈曲接続管１０及び床フランジ２０を経由して下水配管３０に至る経路は、便器本体７０から排出された汚物を通過させる連通路となる。これらの配管のそれぞれの接続部には必要に応じて接着剤やシール剤が塗布される。
【００２５】
図３（ａ）は床フランジ２０の上面図、図３（ｂ）は屈曲接続管１０の上面図である。図３（ｃ）は床フランジ２０の側面の断面図、図３（ｄ）は屈曲接続管１０の側面の断面図である。図４は屈曲接続管１０を斜め下から視た斜視図である。図５（ａ）は排水接続管２００の屈曲接続管１０の周辺の図１のＡ−Ａ線に沿った縦断面図である。図５（ｂ）は排水接続管２００の屈曲接続管１０から突出部１２ａ，１２ｂを除去した比較例を示す断面図である。
【００２６】
理解を容易にするため、先に比較例について説明する。図５（ｂ）の比較例は、排水接続管２００が床フランジ２０に対して前後方向で前方向（矢印Ａ方向）に芯ずれしている状態を示している。この場合、排水接続管２００と床フランジ２０との間に段差を生じ、その段差に汚物９０が乗り上げることがあり、汚物滞留の原因となり得る。また、図５（ｂ）の比較例では、芯ずれして誤装着されても外観からは判別が難しく、そのままの状態で使用に供される可能性もある。
【００２７】
次に、床フランジ２０の形状について説明する。床フランジ２０は、フランジ板２０ａと、フランジ板２０ａから下向きに突出して通孔２０ｂが設けられた円筒部２０ｃと、を含む。フランジ板２０ａの上面側には後述するガスケット５０を収容する収容凹部２０ｇが形成される。収容凹部２０ｇは通孔２０ｂを囲むよう環状に設けられる。
【００２８】
床フランジ２０のフランジ板２０ａは左右方向（図３（ａ）では上下方向）の両側に張り出す張出部２０ｄを含む。張出部２０ｄには周方向に長い長孔２０ｅと、四隅に貫通孔２０ｆが形成される。張出部２０ｄは、図示しない４個のビス等の締結部材が貫通孔２０ｆを通じて床８０ａにねじ込まれることによって固定される。
【００２９】
次に、屈曲接続管１０の形状について説明する。
屈曲接続管１０は、Ｌ字状の内通路を包囲する管状屈曲部１０ｇを含む。入口部１０ａは管状屈曲部１０ｇから後向きに開口し、出口部１０ｂは管状屈曲部１０ｇから下向きに開口する。管状屈曲部１０ｇの出口部１０ｂの外周には外向きに張り出す鍔部１０ｃと、鍔部１０ｃの外周から下向きに延在する環囲部１０ｄと、が設けられる。
【００３０】
屈曲接続管１０は、鍔部１０ｃと環囲部１０ｄとで区画される空間にフランジ板２０ａを収容する。環囲部１０ｄは、フランジ板２０ａを左右両側から挟むことで、屈曲接続管１０の床フランジ２０に対する左右方向の位置合わせのガイドになる。鍔部１０ｃには、長孔２０ｅに対応する位置に周方向に長い長孔１０ｅが形成され、図示しないボルト・ナットなどの締結手段より共締めされる。ボルト・ナットなどの締結手段より共締めされることによっても、屈曲接続管１０は床フランジ２０に対して左右方向に位置合わせされる。つまり、排水接続管２００は、環囲部１０ｄと締結手段のいずれによっても床フランジ２０に対して左右方向に位置合わせ可能にされる。
【００３１】
次に突出部１２について説明する。出口部１０ｂには通孔２０ｂの内側に進入するように下向きに突出する突出部１２が設けられる。突出部１２は管状屈曲部１０ｇと一体に樹脂成形により形成される。なお、これらは別々に形成して結合してもよい。
【００３２】
突出部１２は離間して設けられる突出部１２ａと突出部１２ｂとを含んでいる。特に、突出部１２ａは出口部１０ｂの後側領域に設けられ、通孔２０ｂ内の後側領域に挿入される。突出部１２ｂは出口部１０ｂの前側領域に設けられ、通孔２０ｂ内の前側領域に挿入される。つまり、突出部１２ａは突出部１２ｂの後方に整列して設けられる。この場合、屈曲接続管１０の出口部１０ｂは床フランジの２０の通孔２０ｂに対して前後方向の位置合わせが容易にできる。突出部は三つ以上に分離された部分を含んでもよい。
【００３３】
突出部１２ａ，１２ｂの一方が床フランジ２０の通孔２０ｂに挿入されない誤装着状態では、排水接続管２００が床フランジ２０に対して傾斜する。しかし、突出部が短い場合では誤装着状態における傾斜は小さく発見が困難になることがある。突出部１２ａ，１２ｂは、少なくとも下水配管３０の開口に進入する長さの先端部１２ａａ、１２ｂｂを有するから、誤装着状態した場合に傾斜が大きくなって容易に発見できる。
【００３４】
突出部１２ａ，１２ｂの外側面には突出方向（下方向）に対して傾斜するテーパー面１２ｃが形成される。突出部１２ａ，１２ｂの厚み寸法Ｄは、一例として、突出端が根元より１ｍｍから２ｍｍの範囲で薄くされる。突出部１２ａ，１２ｂのテーパー面１２ｃはそれぞれ突出方向に向かって前後方向の距離が短くなるように形成される。
【００３５】
特に図４を参照する。屈曲接続管１０は出口部１０ｂの開口の内面に内側に張り出す張出部１４が形成される。張出部１４は、下面視で部分円弧の両端を直線で結んだ弓形状の弓形部１４ａと、弓形部１４ａの張出側の端（弓の弦に相当する部分）に形成される縁部１４ｂと、を含む。張出部１４には突出部１２ａが立設される。突出部１２ｂは、その内周面が管状屈曲部１０ｇの内周面と連続して設けられる。このように構成することによって突出部１２ｂが汚物通過の障害となる可能性を小さくできる。
【００３６】
突出部１２ａの内面には上下方向に延伸する複数のリブ１２ｄが形成される。下面視において、リブ１２ｄの領域の全ては張出部１４の領域内に含まれる。特に、リブ１２ｄは上流側にある張出部１４の縁より後退している。
【００３７】
特に図３（ｄ）を参照する。突出部１２の突出寸法Ｚが小さいと、芯ずれして誤装着した場合の傾きが小さく判別できないことがある。これに対応して、突出寸法Ｚは、好ましくは３０ｍｍ以上、より好ましくは４０ｍｍ以上とすることで、誤装着状態の判別が容易になる。突出部１２の突出寸法Ｚが大きいと梱包の障害になることがある。これに対応して、突出寸法Ｚは、好ましくは１００ｍｍ以下、より好ましくは８０ｍｍ以下、さらに好ましくは６０ｍｍ以下とすることで、梱包を容易にすることができる。
【００３８】
突出部１２の厚み寸法Ｄが小さいと装着の際に破損する懸念がある。これに対応して、厚み寸法Ｄは、好ましくは２ｍｍ以上、より好ましくは３ｍｍ以上とすることで装着の際の破損を抑制できる。突出部１２の厚み寸法Ｄが大きいと汚物が滞留する可能性が大きくなる。これに対応して、厚み寸法Ｄは、好ましくは７ｍｍ以下、より好ましくは５ｍｍ以下とすることで汚物が滞留する可能性を小さくできる。
【００３９】
特に図４を参照する。突出部１２の幅寸法Ｗが小さいと装着の際に破損する懸念がある。これに対応して、幅寸法Ｗは、好ましくは２０ｍｍ以上とすることで装着の際の破損を抑制できる。突出部１２の幅寸法Ｗが大きいと汚物が滞留する可能性が大きくなる。これに対応して、幅寸法Ｗは、好ましくは７０ｍｍ以下、より好ましくは５０ｍｍ以下、さらに好ましくは４０ｍｍ以下とすることで汚物が滞留する可能性を小さくできる。
また、突出部１２の強度を考慮しつつ汚物の流れを改善するためには、突出部１２の幅寸法Ｗは、出口部１０ｂの円周の長さに対して１０％から２０％の範囲が好ましい。
【００４０】
次に、トイレ装置１００をトイレルーム８０に設置する施工方法を説明する。
まず、円筒部２０ｃを下水配管３０の上端側に嵌め込んで、床フランジ２０を床８０ａに接するように押し込む。この状態でビス等の締結部材によって床フランジ２０を床８０ａに固定する。次に、床フランジ２０の収容凹部２０ｇにガスケット５０を載置する。
【００４１】
次に、便器接続部６０と、排水管部４０と、屈曲接続管１０とを連結して排水接続管２００を組み立てる。特に、排水管部４０の一端を便器接続部６０に結合し、排水管部４０の他端を屈曲接続管１０の入口部１０ａに嵌合して固定する。この際、排水管部４０は所定の長さに切断することによって、排水接続管２００を望ましい長さに調整することができる。
【００４２】
次に、便器接続部６０と排水管部４０が連結された状態の屈曲接続管１０を床フランジ２０に接続する。特に、突出部１２の先端が床フランジ２０の通孔２０ｂ上に位置するように排水接続管２００を移動させる。次に突出部１２の先端を通孔２０ｂに差し込んだ状態で、屈曲接続管１０を下向に移動させる。次に、図示しないボルトを長孔１０ｅと長孔２０ｅとに挿通して図示しないナットにより共締めることによって排水接続管２００を床フランジ２０に固定する。
【００４３】
次に、床フランジ２０に固定された状態の排水接続管２００の便器接続部６０に排出口を結合するように便器本体７０を床８０ａに置いて固定する。さらにその他の付帯作業をなして施工が完了する。
【００４４】
この施工方法によれば、床フランジ２０の通孔２０ｂに対して突出部１２をガイドにして排水接続管２００を載置できるからトイレ装置の施工の作業性が向上する。また、芯ずれを生じにくいから汚物の流れを円滑にし、誤装着による再施工の可能性を小さくすることができる。
【００４５】
次に本実施形態にかかる排水接続管２００の特徴を説明する。
突出部が周方向に連続する円筒状である場合は、その部分で通路の内径が狭くなり汚物が滞留することが考えられる。これに対して排水接続管２００には、周方向に分離され、通孔２０ｂ内に突出する複数の突出部１２ａ、１２ｂを有するから、円筒状に突出する場合に比べ通路は広くなり汚物の流れが円滑になる。また、床フランジ２０の通孔２０ｂに対して突出部１２ａ，１２ｂをガイドにして排水接続管２００を接続できるから施工の作業性が向上する。
【００４６】
排水接続管２００の屈曲接続管１０は、複数の突出部１２ａ，１２ｂがそれぞれ出口部１０ｂの後側領域と前側領域とに設けられるから、床フランジ２０の通孔２０ｂに対して前後方向のいずれにも容易に位置合わせでき、便器本体に排水接続管２００をつなぐ施工の作業性が向上する。また芯ずれを生じる恐れが小さいから、芯ずれに起因する汚物滞留の可能性を小さくできる。
【００４７】
屈曲する通過路を二重壁で包囲すると、その分汚物の通過路が狭くなり汚物が滞留することが考えられる。これに対して屈曲接続管１０の管状屈曲部１０ｇは一重壁からなり、その内部は二重壁の場合より広くできるから、汚物が滞留する可能性を小さくできる。
【００４８】
突出部１２ａ，１２ｂの少なくともひとつの外面には上下方向に対して傾斜するテーパー面１２ｃが形成されるから、突出部１２を床フランジ２０の通孔２０ｂに円滑に挿入でき、施工の作業性が向上する。
【００４９】
通路を広くするために突出部を薄くすると床フランジに装着する際に変形して誤装着する可能性があり、施工作業の作業性が低下することが考えられる。これに対して、突出部１２ａはリブ１２ｄを有するから変形の可能性を小さくして作業性を向上できる。
【００５０】
突出部のリブが汚物滞留の原因になることが考えられる。これに対して、リブ１２ｄは上流側にある張出部１４の縁より後退しているから、リブ１２ｄが汚物滞留の原因になる可能性を小さくできる。
【００５１】
次に、図６に基づき、排水接続管２００を別の床フランジ１２０に接続する例を説明する。床フランジ１２０は中央に通孔１２０ｂが設けられたフランジ板１２０ａを含む環状の部材で、床８０ａに対して下水配管１３０の上端を支持する。床フランジ１２０は円筒部２０ｃに相当する部分を有しない。通孔１２０ｂの縁には上側ほど大径になる周状のテーパー面１２０ｃが設けられており、下水配管１３０が通孔１２０ｂを上側に突き抜け、通孔１２０ｂがテーパー面１２０ｃに沿って上側が開くように変形させることによって固定される。
【００５２】
床フランジ１２０は図示しないビス等の締結部材などの手段によって床８０ａに固定される。床フランジ１２０は真鍮などの金属材料や各種の樹脂材料から形成できる。このように、排水接続管２００は構成の異なる各種の床フランジに対しても使用可能であり、この場合も上述した特徴を発揮する。
【００５３】
以上、本発明を実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５４】
１０  屈曲接続管、  １０ａ  入口部、  １０ｂ  出口部、
１０ｇ  管状屈曲部、  １２  突出部、  １２ｃ  テーパー面、  １２ｄ  リブ、
１４  張出部、  ２０  床フランジ、２０ｂ  通孔、  ２０ｃ  円筒部、
３０  下水配管、  ４０  排水管部、  ５０  ガスケット、  ６０  便器接続部、
７０  便器本体、  ８０  トイレルーム、  １００  トイレ装置、  ２００  排水接続管。
【図１】
0006538462.tif 000002
【図２】
0006538462.tif 000003
【図３】
0006538462.tif 000004
【図４】
0006538462.tif 000005
【図５】
0006538462.tif 000006
【図６】
0006538462.tif 000007